(57)【要約】【課題】従来の通電情報計測装置では、電路が単相２線の場合、回路遮断器の２相−３相間に接続しなければならない制約があった。【解決手段】複数のチャンネルのうちの少なくとも１つに電路の相間電圧に対応する信号が入力され演算手段２６から与えられる切換え信号Ｓ３に基づいて前記チャンネルを切換えて前記相間電圧に対応する信号を出力するマルチプレクサ３６と、前記マルチプレクサ３６から出力された前記相間電圧に対応する信号をパルス波形に変換するパルス波変換回路３４と、前記パルス波形の所定の変化時点間の時間を計測して前記相間電圧の周期を求めるタイマ回路３５とを備え、前記演算手段２６は、前記タイマ回路３５により求めた相間電圧の周期を電路の通電情報の演算に用いる。【選択図】図１
2008039609.tif 000002
【特許請求の範囲】
【請求項１】
計測対象とする電路の電気量に対応する信号に基づいて前記電路の通電情報を演算する演算手段を備えた通電情報計測装置であって、複数のチャンネルのうちの少なくとも１つに前記電路の相間電圧に対応する信号が入力され前記演算手段から与えられる切換え信号に基づいて前記チャンネルを切換えて前記相間電圧に対応する信号を出力するマルチプレクサと、前記マルチプレクサから出力された前記相間電圧に対応する信号をパルス波形に変換するパルス波変換回路と、前記パルス波形の所定の変化時点間の時間を計測して前記相間電圧の周期を求めるタイマ回路とを備え、前記演算手段は、前記タイマ回路により求めた前記相間電圧の周期を前記演算に用いることを特徴とする通電情報計測装置。
【請求項２】
前記複数のチャンネルに前記電路の異なる相間電圧が夫々入力されているとき、前記タイマ回路により求めた前記夫々の相間電圧の周期のうちの一方、又は前記夫々の相間電圧の周期の平均値を、前記演算手段による演算に用いることを特徴とする請求項１に記載の通電情報計測装置。
【請求項３】
前記タイマ回路により求めた前記相間電圧の周期を記憶する記憶回路を備え、必要に応じて前記記憶回路に記憶した前記相間電圧の周期を前記演算手段による演算に用いることを特徴とする請求項１又は請求項２に記載の通電情報計測装置。
【請求項４】
請求項１乃至請求項３のいづれかに記載の通電情報計測装置と、計測対象とする電路に接続される夫々少なくとも３個の電源側端子及び負荷側端子と、前記夫々の電源側端子及び負荷側端子に開閉接点を介して接続される少なくとも３個の通電主導体と、前記通電主導体に流れる電流に基づいて前記開閉接点を開く引外し手段とを備え、前記マルチプレクサのチャンネルに入力される前記信号は、前記通電主導体を介して検出された前記電路の相間電圧に対応する信号であり、前記演算手段の演算に用いる前記電気量に対応する信号は、前記通電主導体を介して検出された前記電路の電気量に対応する信号であることを特徴とする通電情報計測装置を備えた回路遮断器。
【発明の詳細な説明】
【技術分野】
【０００１】
本発明は、電路に流れる電流、電路に印加される電圧、電路に流れる漏洩電流等の通電情報を計測する通電情報計測装置、及びこの通電情報計測装置を備えた回路遮断器に関する。
【背景技術】
【０００２】
電路に流れる電流、電路に印加される電圧、電路に流れる漏洩電流等の通電情報を計測する従来の通電情報計測装置は、計測対象とする電路に流れる電流、電路の相間電圧、及び電路の夫々の相に流れる漏洩電流を、夫々計器用変流器、計器用変圧器、及び零相変流器により検出し、その検出された夫々の信号に基づいてマイコンにより演算処理を行い、電路に於ける電圧及び電流の実効値、電力、電力量、力率等の通電情報を得るものである。そして、その演算処理して得られた夫々の通電情報を表示手段により表示すると共に、それらの通電情報のうち最大値、電力量等の重要な計測値を、不揮発性メモリに記憶保持するように構成されている。（例えば、特許文献１参照）
【０００３】
従来の通電情報計測装置は、計測対象とする電路が三相電路である場合に、その電路の２相と３相との間の相間電圧を計器用変圧器により検出し、この検出した相間電圧の電圧波形をパルス波形に変換し、このパルス波形の所定の時点間の時間間隔を、マイコンに内蔵したタイマにより計測して電路電圧の周期とし、この計測した周期を用いて電路の通電情報を演算処理するように構成されている。
【特許文献１】特開２００３−２０２３５４公報
【発明の開示】
【発明が解決しようとする課題】
【０００４】
従来の通電情報計測装置は、以上のように構成されているので、計測対象とする電路が単相２線式の場合には、通電情報計測装置に対する電路を、通電情報計測装置を備えた回路遮断器等の２相用の端子と３相用の端子との間に接続しなければならないという制約があった。
【０００５】
本発明は、上記のような課題を解決するためになされたもので、計測対象とする電路が単相２線式であっても、従来の装置のような制約を受けることなく、何れの端子に計測対象とする電路を接続しても通電情報を計測することができる通電情報計測装置を得ることを目的とするものである。
【０００６】
又、この発明は、計測対象とする電路が単相２線式であっても、何れの端子に計測対象とする電路を接続しても必要な通電情報を得ることができる通電情報計測装置を供えた回路遮断器を得ることを目的とするものである。
【課題を解決するための手段】
【０００７】
本発明に係る通電情報計測装置は、計測対象とする電路の電気量に対応する信号に基づいて前記電路の通電情報を演算する演算手段を備えた通電情報計測装置であって、複数のチャンネルのうちの少なくとも１つに前記電路の相間電圧に対応する信号が入力され前記演算手段から与えられる切換え信号に基づいて前記チャンネルを切換えて前記相間電圧に対応する信号を出力するマルチプレクサと、前記マルチプレクサから出力された前記相間電圧に対応する信号をパルス波形に変換するパルス波変換回路と、前記パルス波形の所定の変化時点間の時間を計測して前記相間電圧の周期を求めるタイマ回路とを備え、前記演算手段は、前記タイマ回路により求めた前記相間電圧の周期を前記演算に用いるものである。
【０００８】
又、本発明に係る通電情報計測装置を備えた回路遮断器は、通電情報計測装置と、計測対象とする電路に接続される夫々少なくとも３個の電源側端子及び負荷側端子と、前記夫々の電源側端子及び負荷側端子に開閉接点を介して接続される少なくとも３個の通電主導体と、前記通電主導体に流れる電流に基づいて前記開閉接点を開く引外し手段とを備え、前記通電情報計測装置に設けられたマルチプレクサのチャンネルに入力される前記信号は、前記通電主導体を介して検出された前記電路の相間電圧に対応する信号であり、前記演算手段の演算に用いる前記電気量に対応する信号は、前記通電主導体を介して検出された前記電路の電気量に対応する信号であるようにしたものである。
【０００９】
前記回路遮断器に備えられる通電情報計測装置は、計測対象とする電路の電気量に対応する信号に基づいて前記電路の通電情報を演算する演算手段を備えた通電情報計測装置であって、複数のチャンネルのうちの少なくとも１つに前記電路の相間電圧に対応する信号が入力され前記演算手段から与えられる切換え信号に基づいて前記チャンネルを切換えて前記相間電圧に対応する信号を出力するマルチプレクサと、前記マルチプレクサから出力された前記相間電圧に対応する信号をパルス波形に変換するパルス波変換回路と、前記パルス波形の所定の変化時点間の時間を計測して前記相間電圧の周期を求めるタイマ回路とを備え、前記演算手段は、前記タイマ回路により求めた前記相間電圧の周期を前記演算に用いるようにした通電情報計測装置であるか、又は、前記構成の通電情報計測装置に於いて前記複数のチャンネルに前記電路の異なる相間電圧が夫々入力されているとき、前記タイマ回路により求めた前記夫々の相間電圧の周期のうちの一方、又は前記夫々の相間電圧の周期の平均値を、前記演算手段による演算に用いるようにした通電情報計測装置であるか、或いは、前記のように構成された夫々の通電情報計測装置に於いて前記タイマ回路により求めた前記相間電圧の周期を記憶する記憶回路を備え、必要に応じて前記記憶回路に記憶した前記相間電圧の周期を前記演算手段による演算に用いるようにした通電情報計測装置である。
【発明の効果】
【００１０】
本発明に係る通電情報計測装置によれば、複数のチャンネルのうちの少なくとも１つに前記電路の相間電圧に対応する信号が入力され前記演算手段から与えられる切換え信号に基づいて前記チャンネルを切換えて前記相間電圧に対応する信号を出力するマルチプレクサと、前記マルチプレクサから出力された前記相間電圧に対応する信号をパルス波形に変換するパルス波変換回路と、前記パルス波形の所定の変化時点間の時間を計測して前記相間電圧の周期を求めるタイマ回路とを備え、前記演算手段は、前記タイマ回路により求めた前記相間電圧の周期を前記演算に用いるようにしたので、計測対象とする電路が単相２線式の場合であっても、接続する端子に制約を受けることなく電路の通電情報を計測することができる。
【００１１】
又、本発明に係る通電情報計測装置を備えた回路遮断器によれば、通電情報計測装置と、計測対象とする電路に接続される夫々少なくとも３個の電源側端子及び負荷側端子と、前記夫々の電源側端子及び負荷側端子に開閉接点を介して接続される少なくとも３個の通電主導体と、前記通電主導体に流れる電流に基づいて前記開閉接点を開く引外し手段とを備え、前記通電情報計測装置に設けられたマルチプレクサのチャンネルに入力される前記信号は、前記通電主導体を介して検出された前記電路の相間電圧に対応する信号であり、前記演算手段の演算に用いる前記電気量に対応する信号は、前記通電主導体を介して検出された前記電路の電気量に対応する信号であるようにしたので、計測対象とする電路が単相２線式の場合であっても、その電路を回路遮断器のいずれかの端子に接続すれば、電路の通電情報を計測することができる。
【発明を実施するための最良の形態】
【００１２】
実施の形態１．
図１は、この発明の実施の形態１に於ける通電情報計測表示装置を備えた回路遮断器を示すブロック図、図２は、図１の相間電圧信号の周期を判断する動作を示すタイムチャートである。
【００１３】
図１に於いて、回路遮断器は、回路遮断器本体１に通電情報計測装置２０を備えている。先ず、回路遮断器本体１の構成について説明する。計測対象とする電路の電源側に接続される電源側端子２、及び電路の負荷側に接続される負荷側端子５が設けられている。電源側端子２は、電路が１相、２相、及び３相からなる三相交流電路である場合に対応して３個の電源側端子２０１、２０２、２０３により構成される。これらの電源側端子２０１、２０２、及び２０３を、以下、便宜上、電源側１相端子、電源側２相端子、及び電源側３相端子と称する。同様に、負荷側端子５は、３個の負荷側端子５０１、５０２、５０３により構成され、これらの負荷側端子５０１、５０２、及び５０３を、以下、便宜上、負荷側１相端子、負荷側２相端子、及び負荷側３相端子と称する。
【００１４】
電源側端子２と負荷側端子５との間には、開閉接点３を介して通電主導体４が設けられている。通電主導体４は、３本の通電主導体４０１、４０２、及び４０３により構成され、これらの通電主導体４０１、４０２、及び４０３を、以下、便宜上、１相通電主導体、２相通電主導体、及び３相通電主導体と称する。１相通電主導体４０１、２相通電主導体４０２、及び３相通電主導体４０３に夫々設けられた一次変流器６は、夫々の通電主導体４０１〜４０３に流れる電気量としての電流に比例した電流信号を出力する。整流回路７は、一次変流器６の出力である電流信号を整流し、波形整形した電流信号を出力する。
【００１５】
整流回路７の出力は、ピーク値変換回路８を介して瞬時回路１０及び短限時回路１１に入力されると共に、実効値変換回路９を介して長限時回路１２に入力される。瞬時回路１０は、ピーク値変換回路８の出力が第１の所定値を超えたとき、瞬時にトリガ信号をトリガ回路１３に入力する。短限時回路１１は、ピーク値変換回路８の出力が前記第１の所定値以下である第２の所定値を越えて第１の所定時間以上継続したとき、トリガ信号をトリガ回路１３に入力する。長限時回路１２は、実効値変換回路９の出力が所定値を超えて第１の所定時間より長い第２の所定時間以上継続したとき、トリガ信号をトリガ回路１３に入力する。
【００１６】
トリガ回路１３は、瞬時回路１０、短限時回路１１、長限時回路１２のうちのいずれかからトリガ信号が入力されたとき、電磁装置１４を付勢して開閉接点３を開き、通電主導体４を遮断し、電路を遮断する。夫々の一次変流器６の出力導体には二次変流器１５が設けられており、この二次変流器１５は、一次変流器６の出力導体に流れる電流に比例した電流信号を出力する。又、通電主導体４には計器用変圧器１６が設けられており、この計器用変圧器１６は、１相通電主導体４０１及び２相通電主導体４０２との間の電気量としての相間電圧、及び２相通電主導体４０２と３相通電主導体４０３との間の電気量としての相間電圧を夫々出力する。
【００１７】
次に、回路遮断器本体１に設けられた通電情報計測装置２０の構成について説明する。電流信号入力回路２１は、二次変流器１５の夫々の出力信号を入力とし、この入力された出力信号を波形整形すると共にレベル変換し、１相通電主導体４０１、２相通電主導体４０２、及び３相通電主導体４０３に流れる夫々の電流に比例した電流信号をサンプルホールド回路２３に入力する。電圧信号入力回路２２は、計器用変圧器１６の出力信号を入力とし、この入力された出力信号を波形整形すると共にレベル変換し、１相通電主導体４０１及び２相通電主導体４０２との間の相間電圧、及び２相通電主導体４０２と３相通電主導体４０３との間の相間電圧に比例した電圧信号をサンプルホールド回路２３に入力する。
【００１８】
サンプルホールド回路２３は、演算手段であるマイコン２６からのホールド信号Ｓ１に基づいて、電流信号入力回路２１から出力された電路の電流に比例した電流信号と、電圧信号入力回路２２から出力された電路の相間電圧に比例した電圧信号とを夫々サンプリングし、そのサンプリングした値をホールドし出力する。信号選択回路２４は、マイコン２６からの選択信号Ｓ２に基づいて、サンプルホールド回路２３が出力する電流信号及び電圧信号を選択して出力する。
【００１９】
レンジアンプ回路２５は、信号選択回路２４が出力する電流信号及び電圧信号を、夫々異なる３つのレンジに増幅可能なレンジ１、レンジ２、及びレンジ３を備え、計測レンジに合わせていずれかのレンジに増幅してマイコン２６に内蔵されたＡ／Ｄ変換回路２７に入力する。Ａ／Ｄ変換回路２７は、レンジアンプ回路２５から入力されたアナログの電流信号及び電圧信号をデジタル信号に変換する。
【００２０】
マルチプレクサとしてのアナログマルチプレクサ３６は、複数のチャンネルを備え、これらのチャンネルに、１相通電主導体４０１と２相通電主導体４０２との間の相間電圧に対応する計器用変圧器１６の出力信号と、２相通電主導体４０２と３相通電主導体４０３との間の相間電圧に対応する計器用変圧器１６の出力信号とが、別々に入力される。アナログマルチプレクサ３６は、マイコン２６の出力回路３７からの切換信号Ｓ３に基づいてチャンネルが切換えられ、１相通電主導体４０１と２相通電主導体４０２との間の相間電圧に対応する計器用変圧器１６の出力信号と、２相通電主導体４０２と３相通電主導体４０３との間の相間電圧に対応する計器用変圧器１６の出力信号とを、一方から他方へ切り換えてパルス波変換回路３４へ入力する。
【００２１】
パルス波変換回路３４は、図２に示すように、入力された計器用変圧器１６の出力信号が１相通電主導体４０１と２相通電主導体４０２との間の相間電圧に対応した電圧出力信号Ａであれば、これをパルス信号に変換して図２のＢに示すパルス変換出力を発生する。入力された計器用変圧器１６の出力信号が２相通電主導体４０２と３相通電主導体４０３との間の相間電圧に対応した電圧出力信号Ｃであれば、これをパルス信号に変換して図２のＤに示すパルス変換出力を発生する。パルス波変換回路３４からのパルス変換出力Ｂ、又はパルス変換出力Ｄは、マイコン２６のタイマ回路３５に入力される。
【００２２】
タイマ回路３５は、パルス波変換回路３４から入力されたパルス変換出力Ｂ又はパルス変換出力Ｄの、電圧パルスの立ち上がり時点間をカウントすることでそれらの周期を求める。即ち、パルス変換出力Ｂが入力された場合は、その立ち上がり時点ｔ１から次の立ち上がり時点ｔ２までをカウントすることでその周期を求め、パルス変換出力Ｄが入力された場合は、その立ち上がり時点ｔ３から次の立ち上がり時点ｔ４までをカウントすることでその周期を求める。このようにして求めたパルス変換出力Ｂ及びパルス変換出力Ｄの周期は、記憶回路３１に随時記憶される。
【００２３】
マイコン２６は、Ａ／Ｄ変換回路２７により得た電路の各相電流及び各相間電圧に比例した波形のサンプリング値のデジタル波形データ、及びパルス変換出力Ｂ又はパルス変換出力Ｄの周期に基づいて、電路の各相電流の実効値、各相間電圧の実効値、高調波電流、有効電力、無効電力、電力量、無効電力量、力率等の通電情報を算出して出力する。
【００２４】
表示回路２８は、表示手段にマイコン２６が出力する通電情報を表示させる。通信Ｉ／Ｆ回路２９は、パソコン（図示せず）等の外部装置とマイコン２６との間で通信データを中継する。時計回路３０は、マイコン２６が時間計測や電力量の演算を行うのに必要な日付・時刻を取得する。電源回路３３は、マイコン２６や夫々の回路に必要な電力を供給する。
【００２５】
次に、以上のように構成された実施の形態１に於ける通電情報計測表示装置を備えた回路遮断器の動作を説明する。図１に於いて、計測対象とする電路が１相電路、２相電路、及び３相電路により構成される三相電路である場合、その１相電路、２相電路、及び３相電路は、夫々回路遮断器本体１の電源側１相端子２０１、電源側２相端子２０２、及び電源側３相端子２０３に夫々接続されると共に、負荷側１相端子５０１、負荷側２相端子５０２、及び負荷側３相端子５０３に夫々接続される。
【００２６】
回路遮断器本体１は、電路に事故電流が流れた場合、１次変流器６により検出された電流信号の大きさに基づいて、瞬時回路１０、短限時回路１１、長限時回路１２のうちのいずれかからトリガ信号をトリガ回路１３に入力して電磁装置１４を付勢し、開閉接点３を開いて通電主導体４を遮断し、電路を遮断する。又、図示していないハンドルにより、手動で開閉接点３を開閉して電路を開閉することができる。
【００２７】
二次変流器１５の夫々の出力信号は、電流信号入力回路２１により波形整形されると共にレベル変換され、サンプルホールド回路２３に電流信号として入力される。計器用変圧器１６の出力信号は、電圧信号入力回路２２により波形整形されると共にレベル変換され、１相通電主導体４０１と２相通電主導体４０２との間の相間電圧、及び２相通電主導体４０２と３相通電主導体４０３との間の相間電圧に比例した電圧信号としてサンプルホールド回路２３に入力される。
【００２８】
電流信号及び電圧信号は、マイコン２６からのホールド信号Ｓ１に基づいて、サンプルホールド回路２３により夫々サンプリングされその値がホールドされる。サンプルホールド回路２３によりサンプリングされた電流信号と電圧信号は、マイコン２６からの選択信号Ｓ２に基づいて、信号選択回路２４により選択されてレンジアンプ回路２５に入力される。
【００２９】
レンジアンプ回路２５に入力された電流信号及び電圧信号は、計測レンジに合わせてレンジ１、レンジ２、及びレンジ３のいづれかにより増幅されマイコン２６に内蔵されたＡ／Ｄ変換回路２７に入力される。Ａ／Ｄ変換回路２７に入力された電流信号及び電圧信号は、デジタル信号に変換される。
【００３０】
いま、マイコン２６の出力回路３７からの切換信号Ｓ３に基づいて、１相通電主導体４０１と２相通電主導体４０２との間の相間電圧に対応する計器用変圧器１６の出力信号に基づく電圧出力信号Ａが、アナログマルチプレクサ３６からパルス波変換回路３４へ入力されたとすると、電圧出力信号Ａは、パルス波変換回路３４により図２のＢに示すパルス変換出力Ｂに変換される。パルス変換出力Ｂは、その立ち上がり時点ｔ１から次の立ち上がり時点ｔ２までの時間がマイコン２６のタイマ回路３５によりカウントされ、その周期が求められ、記憶回路３１に記憶される。
【００３１】
次に、マイコン２６の出力回路３７からの切換信号Ｓ３に基づいて、２相通電主導体４０２と３相通電主導体４０３との間の相間電圧に対応する計器用変圧器１６の出力信号に基づく電圧出力信号Ｃに切り換えられ、この電圧出力信号Ｃがアナログマルチプレクサ３６からパルス波変換回路３４へ入力されてパルス変換出力Ｄに変換される。パルス変換出力Ｄは、その立ち上がり時点ｔ３から次の立ち上がり時点ｔ４までの時間がマイコン２６のタイマ回路３５によりカウントされ、その周期が求められ、記憶回路３１に記憶される。
【００３２】
このようにして、三相電路の１相と２相との相間電圧と２相と３相との相間電圧の周期が求めるが、このとき一方の相間電圧の周期が求まらない場合は、他方の相間電圧の周期を計測に用い、両方の相間電圧の周期が求まる場合は、一方を選択、或いは両方の周期を平均して計測に用いるように構成されている。周期は随時更新されていくが、１相と２相との相間電圧及び２相と３相との相間電圧の両方の周期が求まらない状況になった場合、更新前に記憶回路３１に記憶していた値をマイコン２６での演算に用いる。従って、確実に演算に用いる周期を得ることができる。
【００３３】
マイコン２６は、Ａ／Ｄ変換回路２７により得た電路の各相電流及び各相間電圧に比例した波形のサンプリング値のデジタル波形データ、及び記憶されたパルス変換出力Ｂ又はパルス変換出力Ｄの周期に基づいて、三相電路の各相電流の実効値、各相間電圧の実効値、高調波電流、有効電力、無効電力、電力量、無効電力量、力率等の通電情報を算出して出力し、表示回路２８によりその情報を表示させる。
【００３４】
次に、計測対象とする電路が単層２線式電路である場合について説明する。この場合、その電路は、電源側端子２のうち１相電源側端子２０１と２相電源側端子２０２、及び負荷側端子５のうち１相負荷側端子５０１と２相負荷側端子５０２とに接続されるか、或いは、２相電源側端子２０２と３相電源側端子２０３、及び２相負荷側端子５０２と３相負荷側端子５０３とに接続される。
【００３５】
前述したとおり、アナログマルチプレクサ３６は、マイコン２６の出力回路３７からの切換信号Ｓ３に基づいて、１相通電主導体４０１と２相通電主導体４０２との間の相間電圧に対応する計器用変圧器１６の出力信号と、２相通電主導体４０２と３相通電主導体４０３との間の相間電圧に対応する計器用変圧器１６の出力信号とのうち、一方から他方へ切り換えてパルス波変換回路３４へ入力するよう構成されている。
【００３６】
従って、単相２線式電路が、１相電源側端子２０１と２相電源側端子２０２、及び１相負荷側端子５０１と２相負荷側端子５０２とに接続されたとすると、マイコン２６の出力回路３７からの切換信号Ｓ３に基づいて、１相通電主導体４０１と２相通電主導体４０２との間の相間電圧に対応する計器用変圧器１６の出力信号に基づく電圧出力信号Ａが、アナログマルチプレクサ３６からパルス波変換回路３４へ入力されたとき、その電圧出力信号Ａが、パルス波変換回路３４により図２のＢに示すパルス変換出力Ｂに変換され、その周期が前述したように求められ、記憶回路３１に記憶される。
【００３７】
その後、マイコン２６の出力回路３７からの切換信号Ｓ３に基づいて、アナログマルチプレクサ３６の出力が、２相通電主導体４０２と３相通電主導体４０３との間の相間電圧に対応する計器用変圧器１６の出力信号に切り換えられるが、この場合は相間電圧が定まらず周期は計測されない。従って、マイコン２６は、電圧出力信号Ａに基づくパルス変換出力Ｂの周期に基づき、単相２線式電路の各相電流の実効値、各相間電圧の実効値、高調波電流、有効電力、無効電力、電力量、無効電力量、力率等の通電情報を算出して出力し、表示回路２８によりその情報を表示させる。
【００３８】
他方、単相２線式電路が、２相電源側端子２０２と３相電源側端子２０３、及び２相負荷側端子５０２と３相負荷側端子５０３とに接続されたとすると、１相通電主導体４０１と２相通電主導体４０２との間の相間電圧に対応する計器用変圧器１６の出力信号による相間電圧は定まらずその周期は計測されないが、マイコン２６の出力回路３７からの切換信号Ｓ３に基づいて、２相通電主導体４０２と３相通電主導体４０３との間の相間電圧に対応する計器用変圧器１６の出力信号に基づく電圧出力信号Ｃに切り換えられたとき、この電圧出力信号Ｃがアナログマルチプレクサ３６からパルス波変換回路３４へ入力されてパルス変換出力Ｄに変換され、その周期が前述したように求められ、記憶回路３１に記憶される。
【００３９】
従って、マイコン２６は、電圧出力信号Ｃに基づくパルス変換出力Ｄの周期に基づき、単相２線式電路の各相電流の実効値、各相間電圧の実効値、高調波電流、有効電力、無効電力、電力量、無効電力量、力率等の通電情報を算出して出力し、表示回路２８によりその情報を表示させる。
【００４０】
以上のようにこの発明の実施の形態１によれば、計測すべき電路が単相２線式電路であっても、その電路を、１相と２相との間、又は２相と３相との間のいずれに結線しても、相間電圧の周期を求めることができ、所望の通電情報を算出することができ、ユーザーの利便性を向上することができるという効果がある。
【図面の簡単な説明】
【００４１】
【図１】本発明の実施形態１に於ける通電情報計測表示装置付き回路遮断器を示すブロック図である。
【図２】本発明の実施形態１に於ける通電情報計測表示装置付き回路遮断器の動作を説明するタイムチャートである。
【符号の説明】
【００４２】
１    回路遮断器本体
２    電源側端子
２０１    １相電源側端子
２０２    ２相電源側端子
２０３    ３相電源側端子
３    開閉接点
４    通電主導体
４０１    １相通電主導体
４０２    ２相通電主導体
４０３    ３相通電主導体
５    負荷側端子
５０１    １相負荷側端子
５０２    ２相負荷側端子
５０３    ３相負荷側端子
６    一次変流器
７    整流回路
８    ピーク値変換回路
９    実効値変換回路
１０    瞬時回路
１１    短限時回路
１２    長限時回路
１３    トリガ回路
１４    電磁装置
１５    二次変流器
１６    計測用変圧器
２０    通電情報計測装置
２１    電流信号入力回路
２    電圧信号入力回路
２３    サンプルホールド回路
２４    信号選択回路
２５    レンジアンプ回路
２６    マイコン
２７    Ａ／Ｄ変換回路
２８    表示回路
２９    通信Ｉ／Ｆ回路
３０    時計回路
３１    記憶回路
３２    操作スイッチ回路
３３    電源回路
３４    パルス波変換回路
３５    タイマ回路
３６    アナログマルチプレクサ
３７    出力回路
【図１】
2008039609.tif 000003
【図２】
2008039609.tif 000004